(57)【要約】【課題】携帯及び使用が容易なため場所に限定されることなく運動を楽しむことができ、様々な形態のヒップアップ運動を可能とする上、生産コストを最小限に抑えることができ、かつ、使用者の身体条件及び好みの運動方法に応じ最適の状態でヒップアップ運動が行える、携帯用ヒップアップ運動器具を提供する。【解決手段】左太ももに着用可能に形成される第１着用バンド；右太ももに着用可能に形成される第２着用バンド；及び前記第１着用バンドと第２着用バンドを連結し、弾性変形される連結バンド；を含み、前記第１着用バンド及び第２着用バンドは、太ももに着用される着用部と、前記着用部の下側に形成され膝を覆うように形成される膝部からなることを特徴とする、携帯用ヒップアップ運動器具。【選択図】図１
2014501579.tif 000002
【特許請求の範囲】
【請求項１】
左太ももに着用可能に形成される第１着用バンド；
右太ももに着用可能に形成される第２着用バンド；及び
前記第１着用バンドと第２着用バンドを連結し、弾性変形される連結バンド；を含み、
前記第１着用バンド及び第２着用バンドは、
太ももに着用される着用部と、前記着用部の下側に形成され膝を覆うように形成される膝部からなることを特徴とする、携帯用ヒップアップ運動器具。
【請求項２】
請求項１において、
前記第１着用バンド及び第２着用バンドは、太ももまわりの全部または一部を覆うようにバンド形態で形成され、
前記第１着用バンド及び第２着用バンドが太ももに固定できるように、前記第１着用バンド及び第２着用バンドをそれぞれ締結する締結部が形成されることを特徴とする、携帯用ヒップアップ運動器具。
【請求項３】
請求項２において、前記締結部は、
前記第１着用バンド及び第２着用バンドの長さよりも長く形成され、前記第１着用バンド及び第２着用バンドの外側に結合され、
一側の端部に他側の端部を連結できる締結リングが形成され、
外側面の一側に第１結合手段が形成され、前記第１結合手段に隣接して前記第１結合手段と結合する第２結合手段が形成されることを特徴とする、携帯用ヒップアップ運動器具。
【請求項４】
請求項２において、前記締結部は、
前記第１着用バンド及び第２着用バンドの長さよりも長く形成され、前記第１着用バンド及び第２着用バンドの外側に結合され、
内側面の一側に第１結合手段が形成され、外側面の一側に前記第１結合手段と結合する第２結合手段が形成されることを特徴とする、携帯用ヒップアップ運動器具。
【請求項５】
請求項２において、
前記締結部は、前記第１着用バンド及び第２着用バンドの長さよりも長く形成され、前記第１着用バンド及び第２着用バンドの外側に結合され、
前記締結部に沿ってスライディング可能に結合され、前記連結バンドに連結される着用リングが形成されることを特徴とする、携帯用ヒップアップ運動器具。
【請求項６】
請求項１ないし請求項５のいずれか一項において、
前記連結バンドは、前記第１着用バンド及び第２着用バンドに着脱可能に連結されることを特徴とする、携帯用ヒップアップ運動器具。
【請求項７】
請求項１ないし請求項５のいずれか一項において、
前記膝部は、前記着用部に着脱可能に結合されることを特徴とする、携帯用ヒップアップ運動器具。
【請求項８】
請求項１ないし請求項５のいずれか一項において、
前記膝部の外側に結合され、足を巻くことができるように十分に長く形成され、前記膝部が足に密着するように固定する膝バンドを含んでなることを特徴とする、携帯用ヒップアップ運動器具。
【請求項９】
請求項１ないし請求項５のいずれか一項において、
前記第１着用バンド及び第２着用バンドは、
外皮部と、前記外皮部の内側に結合されて衝撃を緩和する緩衝部からなることを特徴とする、携帯用ヒップアップ運動器具。
【請求項１０】
請求項７において、
前記膝部は、
外皮部と、前記外皮部の内側に結合されて衝撃を緩和する緩衝部からなることを特徴とする、携帯用ヒップアップ運動器具。
【請求項１１】
請求項１ないし請求項５のいずれか一項において、
前記連結バンドは、弾性変形されていない状態で長さを調整できるように構成されることを特徴とする、携帯用ヒップアップ運動器具。
【請求項１２】
請求項１ないし請求項５のいずれか一項において、
前記第１着用バンド及び第２着用バンドの内側面、または外側面には、
着脱可能なカバー部；が形成されることを特徴とする、携帯用ヒップアップ運動器具。
【発明の詳細な説明】
【技術分野】
【０００１】
本発明は、運動器具に関するものであって、より詳しくは、携帯及び使用が容易であり、場所に限定されることなく運動を楽しむことができ、使用者の身体条件及び望む運動方式に応じて最適の状態で運動を行うことができる、携帯用ヒップアップ運動器具に関する。
【背景技術】
【０００２】
秀麗な容貌に対する人間の欲求は、ここ最近に限ることではなく、より美しく健康的な姿を求めて、昔から努力が続いてきている。さらに、最近では美しい顔に限らず、美しい体つきも注目される時代となり、そのため老若男女を問わずダイエット、もしくは美しいボディーライン作りに努力を惜しまなくなってきている。
【０００３】
人体の外形的形状、即ち体つきにおいて最も重要なのはバランスといえる。背が低かったりやや太っている場合でも、バランスの取れた体つきをしていれば十分に外形的な美感を与えることができ、実際よりスリムに見えたり相対的に背が高く見えたりする。こういったバランスの取れた体つきのために最も重要な身体部位として、ウェストとヒップのラインが挙げられる。程よくシェイプアップされたボリューム感のあるヒップは、足を長く見せてスリムな印象を与える。
【０００４】
一般に３０代からは筋肉量の減少が徐々に進み、６０代を超えると筋肉はほとんど衰退してしまうため、持続的な運動が行われない場合、臀部の筋肉は急激に減少し弛んだ形のヒップになり易い。
【０００５】
弾力があって美しいラインのヒップを手に入れるためには、臀部を構成する筋肉の効果的な運動が必要であり、本発明ではそのような形態の運動をヒップアップ（ｈｉｐ  ｕｐ）運動と称する。ヒップアップのためには、お尻の筋肉を引き締める運動をすることが必要となるが、日常生活の中で自然とこのような運動が行われることはまずなく、特に肉体的な活動量が著しく減少した現代の生活では、お尻の筋肉の収縮と弛緩が行われる運動が自然と繰り返されることを期待するのは難しい。
【０００６】
従って、ヒップアップのための別途の運動、ないしはそのための装備が必要だといえる。
【０００７】
現在、家庭で使用されている簡単な形態の運動器具として、ヒップアップ運動が効率的かつ集中的に、そして好適な形態で行われるように補助する器具は、実際探すのが困難である。ただし、通常の運動器具を揃えているジム施設には、このようなヒップアップ運動が可能な器具が備えられている。しかし一般家庭で使用するにはサイズが大きすぎる上、高価であり、運動方法にバリエーションが少ないため可能な運動ポジションが極めて限られている。
【０００８】
従って、比較的簡単な形態で構成され一般家庭でも使用しやすく、効果的なヒップアップ運動が可能な装置の提供が必要とされている。
【０００９】
韓国公開特許第１０−２００４−００９５５５６号は、ヒップアップ運動器具を開示しており、高さが調整可能なフレームの中央にスライディング板を設け、スライディング板に摩擦しながら肩で押し上げた後、復元力により元の位置に戻るスライダーを備えることで、使用者がスライディング板の前に起立した状態でスライダーを一定範囲内で昇降させる動作を通じて反復運動を行える手段からなる構成と、ヒップアップ運動器具のフレーム中央にスライディング板が設けられたフレームと、スライディング板に摩擦できるようにしたスライダーが設けられ、スライダーの内側には摩擦ローラが、摩擦ローラには回転ギアが備えられてスライダーの内部に取り付けられた抵抗ギアに噛み合うようになっており、抵抗ギア軸と抵抗ギアとの間にコイルスプリングが装着されスライダーの昇降運動によってスプリングが緊張したり弛緩したりし、前面に背もたれと肩掛けを備え、抵抗ギア軸の両端が外部に突出しフレームのガイダーに結合するようになっているスライダーと、椅子及び踏み台で構成されることを特徴とする構成と、スライディング板とスライダーの摩擦ローラが歯車型の構成からなって互いに摩擦するようにしたこと、を含んでいる。
【００１０】
また、韓国公開特許第１０−２００４−００９５５５６号は、上述のようなヒップアップ運動器具により、ヒップの筋肉と太ももの筋肉を重点的に発達させることができ、弛みのない美しい姿が維持できるヒップアップ運動効果があると記載している。
【００１１】
しかし、前記韓国公開特許第１０−２００４−００９５５５６号によるヒップアップ運動器具は、その構成が複雑なため製造が困難であり、そのため製造には多額な費用が必要となり、一般家庭で購入して手軽に使用するには無理がある。
【００１２】
また、前記ヒップアップ運動器具による運動方法は、そのバリエーションが極めて少なく、可能な運動ポジションが非常に制限されている。
【００１３】
よって、使用者の身体的条件及びニーズに適合した形態での運動が行えず、このような運動器具による極めて単調な動きだけでは臀部筋肉の十分な運動量も得られなくなってしまう。その結果、集中的なヒップアップ運動を期待するのは難しくなってくる。
【発明の概要】
【発明が解決しようとする課題】
【００１４】
本発明は、上述のような問題を解決するために考案されたものであり、本発明の一実施例は、携帯及び使用が容易なため場所に限定されることなく運動を楽しむことができ、様々な形態のヒップアップ運動を可能とする上、生産コストを最小限に抑えることができ、かつ、使用者の身体条件及び好みの運動方法に応じ最適の状態でヒップアップ運動が行える、携帯用ヒップアップ運動器具を提供する。
【課題を解決するための手段】
【００１５】
本発明の好ましい実施例による携帯用ヒップアップ運動器具は、左太ももに着用可能に形成される第１着用バンド；右太ももに着用可能に形成される第２着用バンド；及び、前記第１着用バンドと第２着用バンドとを連結し、弾性変形可能な連結バンド；を含む。
【００１６】
ここで、前記第１着用バンド及び第２着用バンドは、太ももまわりの全部、または一部を包むようにバンド形態で形成され、前記第１着用バンド及び第２着用バンドは太ももに固定できるように、前記第１着用バンド及び第２着用バンドをそれぞれ締結する締結部が形成される。
【００１７】
また、前記締結部は、前記第１着用バンド及び第２着用バンドの長さよりも長く形成され、前記第１着用バンド及び第２着用バンドの外側に結合され、一側の端部に他側の端部を連結できるように締結リングが形成され、外側面の一側に第１結合手段が形成され、前記第１結合手段に隣接して前記第１結合手段と結合する第２結合手段が形成される形態で構成されてもよい。
【００１８】
別の例として、前記締結部は、前記第１着用バンド及び第２着用バンドの長さよりも長く形成され、前記第１着用バンド及び第２着用バンドの外側に結合され、内側面の一側に第１結合手段が形成され、外側面の一側に前記第１結合手段と結合する第２結合手段が形成されてもよい。
【００１９】
また、前記締結部は、前記第１着用バンド及び第２着用バンドの長さよりも長く形成され、前記第１着用バンド及び第２着用バンドの外側に結合され、前記締結部に沿ってスライディング可能に結合され、前記連結バンドに連結可能に着用リングが形成されてもよい。
【００２０】
本発明の好ましい実施例による携帯用ヒップアップ運動器具において、前記連結バンドは、前記第１着用バンド及び第２着用バンドに着脱可能に連結される。
【００２１】
そして、前記第１着用バンド及び第２着用バンドは、太ももに着用される着用部と、前記着用部の下側に形成され膝を覆うように形成される膝部からなってもよい。
【００２２】
なお、前記膝部は前記着用部に着脱可能に結合されてもよい。
【００２３】
ここで、前記膝部の外側に結合され、足を巻くことができるように長く形成され、前記膝部を足に密着させて固定する膝バンドを含んでなる。
【００２４】
本発明の好ましい実施例による携帯用ヒップアップ運動器具において、前記第１着用バンド及び第２着用バンドは、外皮部と、前記外皮部の内側に結合されて衝撃を緩和する緩衝部からなってもよい。
【００２５】
また、前記着用部に着脱可能な前記膝部も、外皮部と、前記外皮部の内側に結合されて衝撃を緩和する緩衝部からなってもよい。
【００２６】
また、前記連結バンドは、弾性変形されていない状態で長さが調整できるように構成してもよい。
【００２７】
また、前記第１着用バンド及び第２着用バンドの内側面、もしくは外側面には、着脱可能なカバー部；が形成されてもよい。
【発明の効果】
【００２８】
上述のように、本発明の好ましい実施例によれば、まず、第一に、基本的に太ももに着用可能に形成された第１着用バンド及び第２着用バンドとこれらを繋ぐ連結バンドからなり、片方の足を固定した状態でもう片方の足を動かしながらヒップアップ運動が行えるように形成されており、場所に限定されることなく手軽にヒップアップ運動を行うことができ、携帯及び保管が容易である。
【００２９】
第二に、第１着用バンドと第２着用バンドが太ももを包んで着用されるように形成し、これを固定する締結部を形成することで、太ももへの着用が容易になっている。
【００３０】
第三に、締結部に第１結合手段と第２結合手段を形成し、第１着用バンド及び第２着用バンドの着用が容易となり、特に、締結部に締結リングを形成することにより、第１着用バンドなどを太ももに着用する場合、片手のみでサイズを調節しながら着用することができる。
【００３１】
第四に、締結部に沿ってスライディング可能に結合され、連結バンドに連結される着用リングを形成することにより、第１着用バンドの着用位置が正確にセットされなかった場合でも、これによってヒップアップ運動の妨げになることはなく、特に、ヒップアップ運動の際にスライディングされる着用リングによって太ももにねじれが作用してしまうこともないので安定した姿勢で運動が行える。
【００３２】
第五に、連結バンドを第１着用バンドなどに対して着脱可能に構成することで、第１着用バンド及び第２着用バンドの着用が非常に容易であり、かつ、連結バンドの長さ調整が可能になっているため、身体サイズ及び運動条件に適した運動を行うことができる。
【００３３】
第六に、第１着用バンド及び第２着用バンドは、着用部と膝部に分かれた構成となっているため膝を保護することができ、膝を崩した状態で運動する場合でも、膝に痛みを感じることなく安定した姿勢で運動を行うことができる。
【００３４】
第七に、膝部を着用部に対して着脱可能に形成し、膝部を必要としない場合には、これを分離した状態で運動を行うことができ、また、膝部のみを取り外して洗濯することができるので管理上便利である。
【図面の簡単な説明】
【００３５】
【図１】本発明の一実施例による携帯用ヒップアップ運動器具の着用状態を図示した図面である。
【図２】図１に図示された携帯用ヒップアップ運動器具を図示した分解斜視図である。
【図３ａ】図１に図示された携帯用ヒップアップ運動器具を図示した平面図である。
【図３ｂ】本発明の別の実施例による携帯用ヒップアップ運動器具を図示した平面図である。
【図４】図１に図示された携帯用ヒップアップ運動器具の一部の構成を図示した斜視図である。
【図５】本発明の別の実施例による携帯用ヒップアップ運動器具を図示した図面である。
【図６】図５のＡ−Ａにおける断面図である。
【図７】本発明の別の実施例による携帯用ヒップアップ運動器具の連結バンドを図示した図面である。
【図８】本発明の別の実施例による携帯用ヒップアップ運動器具の着用バンドを図示した図面である。
【図９】本発明による携帯用ヒップアップ運動器具の使用状態を図示した図面である。
【図１０】本発明による携帯用ヒップアップ運動器具の使用状態を図示した図面である。
【図１１】本発明による携帯用ヒップアップ運動器具の使用状態を図示した図面である。
【図１２】本発明による携帯用ヒップアップ運動器具の使用状態を図示した図面である。
【発明を実施するための形態】
【００３６】
図１は、本発明の一実施例による携帯用ヒップアップ運動器具（１）の着用状態を図示した図面であり、図２は、図１に図示された携帯用ヒップアップ運動器具（１）を図示した分解斜視図である。
【００３７】
本発明による携帯用ヒップアップ運動器具（１）は、携帯及び保管が容易であり、場所に限定されることなく手軽に使用できるように構成された装置であって、臀部を形成する筋肉の収縮運動に優れた効果を発揮できる運動器具に関する。
【００３８】
そのために、本発明による携帯用ヒップアップ運動器具（１）は、基本的に、第１着用バンド（１００）、第２着用バンド（２００）、及び連結バンド（３００）からなり、前記第１着用バンド（１００）及び第２着用バンド（２００）は太ももに着用可能に構成されている。前記第１着用バンド（１００）及び第２着用バンド（２００）は、それぞれ片方の太ももに着用するものであり、前記連結バンド（３００）は、前記第１着用バンド（１００）と第２着用バンド（２００）を連結するように構成される。前記第１着用バンド（１００）と第２着用バンド（２００）は、互いに対称形態で形成されるため、特別な場合を除いて、前記第１着用バンド（１００）と第２着用バンド（２００）に関する説明については、基本的に同じである。
【００３９】
第１・２着用バンド（１００、２００）は、図１及び図２に図示したように、太ももに着用される着用部（１１０、２１０）と前記着用部（１１０、２１０）の下側に形成され膝を覆うように形成される膝部（１２０、２２０）からなる。本発明による携帯用ヒップアップ運動器具（１）は、太ももに着用できるように構成されたものであって、前記第１・２着用バンド（１００、２００）は、前記膝部（１２０、２２０）が除去された形態、すなわち、前記着用部（１１０、２１０）のみで形成されてもよいが、以下で説明するとおりに、ヒップアップ運動に優れた効果を発揮できる運動方法の一つとして、膝を崩した状態での運動が可能でなければならないことを考慮して、前記膝部（１２０、２２０）を含んで形成されることがより望ましい。
【００４０】
前記第１・２着用バンド（１００、２００）は、それぞれ左と右の太ももに着用可能に構成され、特に、前記着用部（１１０、２１０）が太ももに着用できるように構成される。前記第１・２着用バンド（１００、２００）は、太ももまわりの一部を包むように形成されてもよいが、使用者の着用感と運動時の利便性を考慮して太もも全体を包むように形成されることが望ましい。
【００４１】
前記第１・２着用バンド（１００、２００）は、広くて長いバンド型に形成され、前記締結部（１３０、２３０）が結合される。
【００４２】
前記締結部（１３０、２３０）は、前記第１・２着用バンド（１００、２００）が太ももに堅固に固定できるようにするための手段であり、前記第１・２着用バンド（１００、２００）の着用のために様々な形態で形成することができる。すなわち、前記締結部（１３０、２３０）は、前記着用部（１１０、２１０）の左右２つの部分に分かれ、ボタン、スナップボタン、フック（ｈｏｏｋ）、面ファスナー（Ｖｅｌｃｒｏ（登録商標））などからなることができ、前記着用部（１１０、２１０）が太もものまわりを包んだ状態で両端部が互いに結合される形で固定されるように、様々な形態で構成されてもよい。
【００４３】
ただし、前記締結部（１３０、２３０）は、前記着用部（１１０、２１０）が太ももに対して、より堅固に固定できるようにするために、帯状の面ファスナーからなることが望ましい。このように構成された前記締結部（１３０、２３０）によって、前記着用部（１１０、２１０）は、太ももまわり全体にわたって均等な結合力で安定的に結合でき、運動時に前記着用部（１１０、２１０）が分離したり緩んだりすることなく堅固な結合状態を保つことができる。
【００４４】
上述のように、本発明による携帯用ヒップアップ運動器具（１）によれば、基本的に太ももに着用できるように形成された前記第１着用バンド（１００）及び第２着用バンド（２００）と、それらを連結する前記連結バンド（３００）からなり、片方の足を固定した状態でもう片方の足を動かす動作によりヒップアップ運動が行えるように形成され、場所に限定されることなく手軽にヒップアップ運動ができ、携帯及び保管が容易なメリットがある。
【００４５】
また、前記第１着用バンド（１００）と第２着用バンド（２００）が太ももを包んで着用できるように形成し、これを固定する前記締結部（１３０、２３０）を形成することで太ももへの着用が容易となる。
【００４６】
図３ａは、図１に図示された携帯用ヒップアップ運動器具（１）を図示した平面図であり、図３ｂは、本発明の別の実施例による携帯用ヒップアップ運動器具（１）を図示した平面図である。
【００４７】
本発明の好ましい実施例による携帯用ヒップアップ運動器具（１）において、前記締結部（１３０、２３０）は、前記第１・２着用バンド（１００、２００）の長さより十分に長く形成され、前記第１・２着用バンド（１００、２００）の外側に結合される形態で構成される。すなわち、前記締結部（１３０、２３０）は、長い帯状に形成され、前記第１・２着用バンド（１００、２００）の着用部（１１０、２１０）の外側に結合される。
【００４８】
前記締結部（１３０、２３０）の外側面の一側端部から反対側の方向に第１結合手段（１３２、２３２）が形成され、前記第１結合手段（１３２、２３２）に続いて第２結合手段（１３３、２３３）が形成される。ここで、前記第１結合手段（１３２、２３２）と第２結合手段（１３３、２３３）は、互いに結合できる面ファスナー（Ｖｅｌｃｒｏ（登録商標））の形態で構成されることが望ましい。
【００４９】
また、前記締結部（１３０、２３０）の他側端部には、前記第１結合手段（１３２、２３２）が形成された前記締結部（１３０、２３０）の端部を連結するための締結リング（１３１、２３１）が形成される。
【００５０】
これにより、図３ａに図示したように、前記締結部（１３０、２３０）が太ももを包んで巻かれた状態で、前記第１結合手段（１３２、２３２）が形成された前記締結部（１３０  、２３０）の端部が前記締結リング（１３１、２３１）を通過した後、再び反対方向に巻かれ、前記第１結合手段（１３２、２３２）と第２結合手段（１３３、２３３）を互いに結合させる。
【００５１】
すなわち、前記締結部（１３０、２３０）の端部が前記締結リング（１３１、２３１）を通過した状態で、前記締結部（１３０、２３０）の端部を引っ張り、前記第１・２着用バンド（１００、２００）が太ももにしっかりと密着した状態で、前記第１結合手段（１３２、２３２）と第２結合手段（１３３、２３３）が互いに結合されるように密着させる形となる。
【００５２】
このように、前記締結部（１３０、２３０）に、前記第１結合手段（１３２、２３２）と第２結合手段（１３３、２３３）を形成することにより、前記第１着用バンド（１００）と第２着用バンド（２００）の着用が容易となり、特に、前記締結部（１３０、２３０）に前記締結リング（１３１、２３１）を形成することにより、前記第１・２着用バンド（１００、２００）を太ももに着用する場合、片手のみでもサイズを調節しながら着用することが可能となる。
【００５３】
また、前記第１結合手段（１３２、２３２）は、前記締結部（１３０、２３０）の端部から形成されているため、前記締結部（１３０、２３０）の端部が分離してしまうことなく、前記締結部（１３０、２３０）の他の部分に堅固に結合されるため、前記第１・２着用バンド（１００、２００）を着用したときに見た目がすっきりしており、運動する際に邪魔にならない。
【００５４】
本発明による携帯用ヒップアップ運動器具（１）は、図３ａに図示された形態とは別の形態として、前記締結部（１３０、２３０）の内側面の一側に第１結合手段（１３２、２３２）が形成され、外側面の一側には前記第１結合手段（１３２、２３２）と結合される第２結合手段（１３３、２３３）が形成される形態で構成されてもよい。このような形態が図３ｂに図示されている。
【００５５】
すなわち、この場合、前記締結部（１３０、２３０）の端部は、前記締結リング（１３１、２３１）に連結された後、反対側に巻かれることではなく太ももを一つの方向に巻くように構成され、前記第１結合手段（１３２、２３２）と第２結合手段（１３３、２３３）を結合させる。
【００５６】
ただし、本発明の好ましい実施例によれば、着用の利便性と堅固な固定のために、図３ａに図示された形態で形成されることが望ましい。
【００５７】
図４は、図１に図示された携帯用ヒップアップ運動器具（１）の一部の構成を図示した斜視図である。
【００５８】
本発明の好ましい実施例による携帯用ヒップアップ運動器具（１）において、前記締結部（１３０、２３０）には、前記締結部（１３０、２３０）の長さ方向に沿ってスライディング可能に形成される着用リング（１４０、２４０）が結合される。
【００５９】
前記締結部（１３０、２３０）は、上述のように、前記第１・２着用バンド（１００、２００）の着用部（１１０、２１０）まわりを包むように長い帯状に形成され、着用部（１１０、２１０）より十分に長く形成されるように構成する。ただし、前記締結部（１３０、２３０）の内側面全体が、前記着用部（１１０、２１０）の外側面に結合されるわけではなく、図４に図示したように、前記締結部（１３０、２３０）の長さ方向に移動可能な前記着用リング（１４０、２４０）と結合できるように、前記締結部（１３０、２３０）の内側面の一部が前記着用部（１１０、２１０）の外側面に結合される。
【００６０】
このような構造によって前記着用リング（１４０、２４０）は、前記締結部（１３０、２３０）の長さ方向にスライディング可能となり、それとともに前記着用リング（１４０、２４０）が分離されてしまうことを防止する。
【００６１】
前記着用リング（１４０、２４０）は、前記連結バンド（３００）に連結されるものであり、前記連結バンド（３００）を着脱可能に結合されるようにする。前記連結バンド（３００）は、ゴムの紐またはゴムバンドのような形態で形成されてもよく、両端部には、前記第１・２着用バンド（１００、２００）、特に、前記着用リング（１４０、２４０）に着脱可能に構成される連結リングが形成される。そして前記連結バンド（３００）は、長さを調節可能に構成することが望ましい。ここで、前記連結バンド（３００）は、弾性変形されていない状態で長さを調整できるように形成され、長さ調整が可能な通常のバッグのひも、ベルトなどの形態で構成されてもよい。
【００６２】
なお、前記連結バンド（３００）は、使用者の運動量や運動方法に応じて、複数備えられ、前記第１・２着用バンド（１００、２００）に連結して使用することができる。
【００６３】
上述のように、前記連結バンド（３００）が前記第１・２着用バンド（１００、２００）に連結される位置は、特定の一位置に限られるものではなく、前記着用部（１１０、２１０）の長さ方向における任意の位置に調整することができる。
【００６４】
前記連結バンド（３００）が前記着用部（１１０、２１０）に連結される位置は、太ももの内側であることが楽な運動といった面で好ましく、また、前記連結バンド（３００）は、短く形成された方が運動時に十分な抵抗を発揮できる。なお、前記連結バンド（３００）を短く形成すれば、前記連結バンド（３００）の連結位置が太ももの内側に正確に合わされていない状態でも、前記第１・２着用バンド（１００、２００）を太ももに容易に着用できる上、着用後に前記連結バンド（３００）の連結位置が自然と太ももの内側に移動される。
【００６５】
そして、前記連結バンド（３００）が前記着用部（１１０、２１０）に連結される位置が固定されると、運動時に足の反復的な動作によって、前記連結バンド（３００）が前記着用部（１１０、２１０）の前方、または後方に繰り返して外力を加えることになる。そして、この場合、前記着用部（１１０、２１０）を介して太ももに加わるトーション（ｔｏｒｓｉｏｎ）が、運動をつらくするだけでなく安定した姿勢を維持しにくくするため、効果的なヒップアップ運動を行えなくなってしまう。
【００６６】
したがって、本発明による携帯用ヒップアップ運動器具（１）は、このような問題を解決するために、前記締結部（１３０、２３０）に沿ってスライディングする前記着用リング（１４０、２４０）により、前記連結バンド（３００）の移動時にも前記着用部（１１０、２１０）にねじれを生じさせず、安定した姿勢の運動を可能とする。
【００６７】
このように、本発明による携帯用ヒップアップ運動器具（１）は、前記締結部（１３０、２３０）に沿ってスライディング可能に結合され、前記連結バンド（３００）に連結される前記着用リング（１４０、２４０）を形成することにより、前記第１・２着用バンド（１００、２００）の着用位置が正確でない場合でも、連結バンド（３００）の連結位置がヒップアップ運動の邪魔にならず、特に、ヒップアップ運動時にスライディングされる前記着用リング（１４０、２４０）により太ももにねじれが作用しないため、安定した姿勢で運動が行える。
【００６８】
なお、前記連結バンド（３００）を前記第１・２着用バンド（１００、２００）に対して着脱可能に構成することにより、前記第１着用バンド（１００）及び第２着用バンド（２００）の着用が非常に容易であり、かつ、前記連結バンド（３００）は長さが調整できるように構成されており、身体サイズ及び運動条件に適した運動が行える。
【００６９】
図５は、本発明の別の実施例による携帯用ヒップアップ運動器具（１）を図示した図面であり、図６は図５のＡ-Ａにおける断面図である。
【００７０】
本発明の好ましい実施例による携帯用ヒップアップ運動器具（１）において、前記第１・２着用バンド（１００、２００）は、太ももに着用される着用部（１１０、２１０）と前記着用部（１１０、２１０）の下側に形成され、膝を覆うように形成される膝部（１２０、２２０）からなる。
【００７１】
そして、前記膝部（１２０、２２０）は、前記着用部（１１０、２１０）に対して着脱可能に構成される。前記膝部（１２０、２２０）と着用部（１１０、２１０）の結合及び分離は、面ファスナーのような手段によって行われることが望ましい。
【００７２】
本発明による携帯用ヒップアップ運動器具（１）は、基本的に太ももに着用した状態で運動を行うものであり、特に、ヒップアップ運動に優れた効果を発揮できる運動方法が容易に実行できるようにするために、前記膝部（１２０、２２０）を形成する。すなわち、効果的なヒップアップ運動の一方法として、図７に図示したように、片方の膝を崩した状態で、もう片方の足を繰り返して動かす方法が考えられるが、本発明は、このような形態の運動が楽に行えるように前記膝部（１２０、２２０）を備えている。
【００７３】
そして、前記膝部（１２０、２２０）には、一側に結合され足を巻くことができる膝バンド（１２１、２２１）が形成される。前記膝バンド（１２１、２２１）は、運動時に前記膝部（１２０、２２０）が足から離隔されないように、安定的に密着できるように構成する。
【００７４】
前記膝バンド（１２１、２２１）は、一体で構成された円形のゴムバンド形態で形成されてもよく、さらには、図５に図示したように、二つの部分に分かれた形態で形成し、二つの部分が互いに結合できるように形成されてもよい。なお、前記膝バンド（１２１、２２１）は、ゴムなどの素材を用いて構成すれば弾力変形ができるため、着用時または運動時に前記膝バンド（１２１、２２１）により脚が強く締め付けられる問題を解消できる。
【００７５】
そして、前記膝バンド（１２１，２２１）は、２つの部分に分かれて互いに結合できるように形成した場合、着脱を容易にするために、面ファスナーの形態で構成することが望ましい。
【００７６】
本発明による携帯用ヒップアップ運動器具（１）において、前記第１・２着用バンド（１００、２００）は、前記締結部（１３０、２３０）による締め付け、または前記連結バンド（３００）による太ももへの圧迫を防止し、ヒップアップ運動時の太ももの安定した動きのために、緩衝作用をする比較的厚みのある形態で形成され、特に、外皮部（１００ａ、２００ａ）と、前記外皮部（１００ａ、２００ａ）の内側に結合されて衝撃を緩和する緩衝部（１００ｂ、２００ｂ）からなる。すなわち、前記緩衝部（１００ｂ、２００ｂ）は、クッション形態で形成される。
【００７７】
ここで、前記着用部（１１０、２１０）に着脱可能に形成された前記膝部（１２０、２２０）も、外皮部（１００ａ、２００ａ）と、前記外皮部（１００ａ、２００ａ）の内側に結合されて衝撃を緩和する緩衝部（１００ｂ、２００ｂ）からなる。
【００７８】
このように、本発明の好ましい実施例による携帯用ヒップアップ運動器具（１）は、前記第１着用バンド（１００）及び第２着用バンド（２００）を前記着用部（１１０、２１０）と膝部（１２０、２２０）に分けて構成することにより、膝を保護でき、膝を崩した状態で運動する場合に別途の道具を用意しなくても膝に痛みを感じることなく安定した姿勢で運動が行える。
【００７９】
なお、前記膝部（１２０、２２０）は、前記着用部（１１０、２１０）に着脱可能に結合されるようにし、前記膝部（１２０、２２０）を必要としない運動を行う場合には、それを外した状態で運動を行うことができる。さらに、前記膝部（１２０、２２０）は、使用時に床に触れる部分であるため他の部分に比べて汚れやすいが、膝部（１２０、２２０）のみを取り外して洗濯することが可能なので、全ての部品を洗濯する手間が省けるメリットがある。
【００８０】
図７は、本発明の別の実施例による携帯用ヒップアップ運動器具（１）の連結バンド（３００）を図示した図面である。
【００８１】
前記連結バンド（３００）は、弾性変形されていない状態で長さを調整できるように形成されるが、例えば、図７のような形態が挙げられる。
【００８２】
前記連結バンド（３００）は、前記第１着用バンド（１００）及び第２着用バンド（２００）に連結するためのフック部（３３０）と、フック部（３３０）に連結される連結部（３４０）と、連結部（３４０）の中央に形成される調整装置（３５０）からなってもよい。
【００８３】
前記調整装置（３５０）は、前記連結部（３４０）の一部が収容される調整ケース（３５１）と、前記調整ケース（３５１）の上部を覆う調整キャップ（３５２）、そして前記連結部（３４０）の露出長さを調整する調整バー（３５３）からなる。
【００８４】
前記調整ケース（３５１）は、前記連結部（３４０）が巻かれた状態で保管できるように円形に形成され、一側には、前記連結部（３４０）が引き出される調整穴（３５１ａ）が形成される。図７において、前記調整装置（３５０）の左側に形成される前記連結部（３４０）は、前記調整ケース（３５１）の外側面に固定形成されるものであり、前記調整装置（３５０）の右側に形成される前記連結部（３４０）は、前記調整ケース（３５１）の内部から引き出し可能に形成されるものである。
【００８５】
＊前記調整バー（３５３）は、前記調整ケース（３５１）の内部で巻かれた状態で維持される前記連結部（３４０）の端部に結合され、前記調整キャップ（３５２）の外部に露出された状態で回動可能に形成される。
【００８６】
前記調整キャップ（３５２）には、前記調整バー（３５３）が回動した状態で収納可能な調整溝（３５２ａ）が形成されるが、前記調整溝（３５２ａ）は、円周方向に沿って複数形成され、所定の位置で前記調整バー（３５３）が挿入されるように構成される。前記調整溝（３５２ａ）は、前記調整バー（３５３）が簡単に引き出されないように、強引に嵌めることができるように形成することが好ましい。
【００８７】
このように、前記調整ケース（３５１）の内部で巻かれた状態で維持される前記連結部（３４０）を、必要なだけ引き出した後、前記調整バー（３５３）及び調整溝（３５２ａ）を用いて連結部（３４０）を固定することができる。
【００８８】
図８は、本発明の別の実施例による携帯用ヒップアップ運動器具（１）の着用バンド（１００，２００）を図示した図面である。
【００８９】
前記第１着用バンド（１００）及び第２着用バンド（２００）の内側面、または外側面には、着脱可能なカバー部（１００ｃ、２００ｃ）；が形成される。
【００９０】
前記カバー部（１００ｃ、２００ｃ）は、前記第１・２着用バンド（１００、２００）の内側面、または外側面に結合できるように形成され、面ファスナー（Ｖ）のような付着手段を備えて着脱可能に形成する。特に、前記第１・２着用バンド（１００、２００）の内側面に結合できるように形成する。このとき、前記カバー部（１００ｃ、２００ｃ）は、タオルのように水分吸収力に優れた材質からなることが望ましい。
【００９１】
前記カバー部（１００ｃ、２００ｃ）は、前記第１・２着用バンド（１００、２００）の外側面に結合されるが、外部と接触し汚れが生じた場合、前記カバー部（１００ｃ、２００ｃ）のみを分離して洗濯することが可能なので、本発明による携帯用ヒップアップ運動器具（１）全体を洗濯する手間を省くことができる。
【００９２】
特に、前記カバー部（１００ｃ、２００ｃ）は、前記第１・２着用バンド（１００、２００）の内側面に結合できるように形成することが望ましいが、このとき、使用者の汗などによる汚れを前記カバー部（１００ｃ、２００ｃ）が吸収し、前記カバー部（１００ｃ、２００ｃ）のみを分離して洗濯する方法で、本発明による携帯用ヒップアップ運動器具（１）を容易に管理することができる。
【００９３】
以下、本発明による携帯用ヒップアップ運動器具（１）の使用形態について簡単に説明する。
【００９４】
図９に、本発明による運動器具の基本的な使用方法が図示されており、それを「運動法１」とする。運動法１において、使用者は両膝が床に置かれた状態で運動を始めることになる。この状態で、片方の膝は床に置かれた状態を維持し、もう片方の足は後方の上側へと動かす動作を繰り返しながら運動を行う。すなわち、片方の足は固定された状態を維持し、もう片方の足は前記連結バンド（３００）が引っ張られるように後方に動かすことにより、臀部筋肉の収縮運動が繰り返すようになる。
【００９５】
そして、上述のように、本発明による携帯用ヒップアップ運動器具（１）は、前記膝部（１２０、２２０）を備えており、別のクッション装置がなくても、どこでも手軽に前記運動法１を実行することが可能である。
【００９６】
図１０には、別の形態の運動法が図示されており、これを「運動法２」とする。運動法２は床に立った姿勢で行うものであり、「運動法１」と同様に、片方の足は固定された状態を維持し、もう片方の足は後方に動かすことにより、前記連結バンド（３００）によって臀部筋肉の収縮運動が繰り返されるようにする。使用者は、運動を要する足を後ろに動かしてまっすぐ伸ばす動作を通じて運動を繰り返す。
【００９７】
上述のように、本発明による携帯用ヒップアップ運動器具（１）は、前記連結バンド（３００）を前記着用リング（１４０、２４０）に連結させることにより、反復的な動きがあった場合でも、前記着用部（１１０、２１０）にねじれが作用させることなく、安定した姿勢で運動を行えるようにする。
【００９８】
図１１と図１２には、さらに、別の形態の運動法が図示されており、それぞれ「運動法３」、「運動法４」とする。運動法３と４は、両方とも起立した状態で行われる。
【００９９】
「運動法３」では、足を側面方向に開いた形態で反復運動を行い、「運動法４」では、片方の足を前に動かすことにより前記連結バンド（３００）を引っ張らせる。運動法３または運動法４のいずれの場合も、前記締結部（１３０、２３０）に沿ってスライディング可能に構成された前記着用リング（１４０、２４０）によって太ももにねじれが生じることはなく、安定した姿勢での運動が可能である。
【０１００】
運動法１乃至４は、現在までに知られたヒップアップ運動方法のうち最も最適化したものだといえる。本発明による携帯用ヒップアップ運動器具（１）は、このような多様な形態の運動を統合的に行えるように開示された発明であり、携帯及び使用が便利なだけでなく、使用者の身体条件、好みの運動方法などに応じて適切な運動を可能とするものである。
【産業上の利用可能性】
【０１０１】
本発明による運動器具によれば、片方の足を固定し、もう片方の足は動かしながらヒップアップ運動を行うことができ、場所に限定されることなく手軽にヒップアップ運動ができ、携帯及び保管が容易な上、着用部と膝部に分かれて構成されたため膝を保護でき、膝を崩した状態で運動する際に別の道具を備えなくても膝に痛みを感じることなく安定した姿勢で運動が行える。
【０１０２】
また、締結部に第１結合手段と第２結合手段を形成し、第１着用バンドと第２着用バンドの着用しやすくなっており、特に、締結部に締結リングを形成することで、第１着用バンドなどを太ももに着用する場合、片手のみでも容易にサイズを調節しながら着用できるメリットがある。
【符号の説明】
【０１０３】
１：携帯用ヒップアップ運動器具  １００：第１着用バンド
１００ａ：外皮部  １００ｂ：緩衝部
１００ｃ：カバー部
１１０：着用部  １２０：膝部
１２１：膝バンド
１３０：着用部
１３１：締結リング  １３２：第１結合手段
１３３：第２結合手段
１４０：着用リング
２００：第２着用バンド
２００ａ：外皮部  ２００ｂ：緩衝部
２００ｃ：カバー部
２１０：着用部
２２０：膝部  ２２１：膝バンド
２３０：締結部
２３１：締結リング  ２３２：第１結合手段
２３３：第２結合手段
２４０：着用リング
３００：連結バンド
【図１】
2014501579.tif 000003
【図２】
2014501579.tif 000004
【図３ａ】
2014501579.tif 000005
【図３ｂ】
2014501579.tif 000006
【図４】
2014501579.tif 000007
【図５】
2014501579.tif 000008
【図６】
2014501579.tif 000009
【図７】
2014501579.tif 000010
【図８】
2014501579.tif 000011
【図９】
2014501579.tif 000012
【図１０】
2014501579.tif 000013
【図１１】
2014501579.tif 000014
【図１２】
2014501579.tif 000015
【国際調査報告】
2014501579.tif 000016
2014501579.tif 000017
2014501579.tif 000018
2014501579.tif 000019